(57)【特許請求の範囲】
【請求項１】
ケーブルガイドを介して配索されるインナーケーブルを備えたウインドレギュレータに用いられる窓ガラスをガラスホルダーを介して支持するキャリアプレートであって、
上下のケーブルエンドを係止するエンドホルダと、開口部を有する中空体のリテイナーとからなり、
前記エンドホルダは、基板と；前記基板に設けられた、一方のケーブルエンドを係止するケーブル係止部と；前記基板に設けられた、他方のケーブルエンドを係止する、基板から突出して形成されたケーブルホルダと；前記基板に設けられた、ガラスホルダーを支持するホルダー支持部と；前記基板に設けられた、ガラスホルダーを固定するホルダー固定部とを備えており、
前記リテイナーは、開口部からケーブルホルダの周囲に被せ、エンドホルダと連結できるように構成されており、前記開口部周縁の一部に、リテイナーの幅方向に拡がる横壁と、その横壁の端縁からリテイナーの軸方向に立ち上がる縦壁とを備え、前記横壁と縦壁とからリテイナーの内面に段部を形成しており、
前記エンドホルダとリテイナーとを連結することにより、前記横壁と、縦壁と、それらに覆われたエンドホルダの基板の表面とから形成される前記ガラスホルダーの一部を覆うホルダー挿入部を備えた、
キャリアプレート。
【請求項２】
請求項１記載のキャリアプレートを備えたウインドレギュレータ。
【発明の詳細な説明】
【技術分野】
【０００１】
本発明はキャリアプレートおよびそれを用いたウインドレギュレータに関する。
【背景技術】
【０００２】
【特許文献１】国際公開公報ＷＯ２００２／０７５０９０号
【０００３】
従来、上下に備え付けられるケーブルガイドと、これらのケーブルガイドの間に配索される閉ループ状のケーブルと、上下のケーブルガイドから延びるケーブルのケーブルエンドを係止すると共に窓ガラスを支持するキャリアプレートと、ケーブルを駆動するケーブル駆動装置とからなるケーブル式ウインドレギュレータが知られている。
このウインドレギュレータは、ケーブル駆動装置を作動させてケーブルを上下に駆動することにより、キャリアプレートに取り付けられた自動車用窓ガラスを上下に開閉させるものである。
【０００４】
このようなウインドレギュレータおよび窓ガラスの取り付け方法は、予めドア内のインナーパネル等のドアのパネルにウインドレギュレータを取り付ける。そして、窓ガラスの下端に取り付けられたガラスホルダーを上から下降させて、ウインドレギュレータのキャリアプレートとガラスホルダーとを当接させる。その後、キャリアプレートとガラスホルダーとをボルトとナット等の固定手段により固定する。しかし、窓ガラスの重量を大きいため、窓ガラスに対して小さいキャリアプレートにガラスホルダーを正確に当接させるのは、困難である。また、ガラスホルダーをキャリアプレートに当接させた後であっても、ボルトとナットできちんと固定するまで、キャリアプレートに窓ガラスを支持させた状態で保持することも困難である。
【発明の開示】
【発明が解決しようとする課題】
【０００５】
本発明は、ガラスホルダーとの当接、および、当接後の締結・固定作業が容易にできるキャリアプレートおよびそれを用いたウインドレギュレータを提供することを目的としている。
【課題を解決するための手段】
【０００６】
本発明のキャリアプレートは、ケーブルガイドを介して配索されるインナーケーブルを
備えたウインドレギュレータに用いられる窓ガラスをガラスホルダーを介して支持するキャリアプレートであって、上下のケーブルエンドを係止するエンドホルダと、開口部を有する中空体のリテイナーとからなり、前記エンドホルダは、基板と；前記基板に設けられた、一方のケーブルエンドを係止するケーブル係止部と；前記基板に設けられた、他方のケーブルエンドを係止する、基板から突出して形成されたケーブルホルダと；前記基板に設けられた、ガラスホルダーを支持するホルダー支持部と；前記基板に設けられた、ガラスホルダーを固定するホルダー固定部とを備えており、前記リテイナーは、開口部からケーブルホルダの周囲に被せ、エンドホルダと連結できるように構成されており、前記開口部周縁の一部に、リテイナーの幅方向に拡がる横壁と、その横壁の端縁からリテイナーの軸方向に立ち上がる縦壁とを備え、前記横壁と縦壁とからリテイナーの内面に段部を形成しており、前記エンドホルダとリテイナーとを連結することにより、前記横壁と、縦壁と、それらに覆われたエンドホルダの基板の表面とから形成される前記ガラスホルダーの一部を覆うホルダー挿入部を備えたことを特徴としている。
【０００９】
本発明のウインドレギュレータは、上述したいずれかのキャリアプレートを備えていることを特徴としている。
【発明の効果】
【００１０】
本発明のキャリアプレートは、基板と；その基板に設けられた、上下のケーブルエンドを係止するケーブル係止部と；前記基板に設けられた、ガラスホルダーを支持するホルダー支持部と；前記基板に設けられた、ガラスホルダーを固定するホルダー固定部と；ガラスホルダーの一部を覆うホルダー挿入部とを備えているため、窓ガラスとキャリアプレートを連結させるとき、窓ガラスの下端に取り付けられたガラスホルダーの一部をホルダー挿入部に挿入するだけで、ガラスホルダーとキャリアプレートとが係止される状態で保持される。そのため、ガラスホルダーとキャリアプレートの固定が容易に行える。
【００１２】
本発明のキャリアプレートであって、上下のケーブルエンドを係止するエンドホルダと、開口部を有する中空体のリテイナーとからなり、前記エンドホルダは、基板と；一方のケーブルエンドを係止するケーブル係止部と；他方のケーブルエンドを係止する、基板から突出して形成されたケーブルホルダと；前記基板に設けられた、ガラスホルダーを支持するホルダー支持部と；前記基板に設けられた、ガラスホルダーを固定するホルダー固定部とからなり、前記リテイナーは、開口部からケーブルホルダの周囲に被せ、エンドホルダと連結できるように構成されており、前記開口部の周縁の一部に、リテイナーの幅方向に拡がる横壁と、その横壁の端縁からリテイナーの軸方向に立ち上がる縦壁とを備えており、前記エンドホルダとリテイナーとを連結することにより、前記横壁と、縦壁と、エンドホルダの表面とから開口部を有する空間が形成される場合、ガラスホルダーをエンドホルダの基板の表面に這わせながら下降させることにより、ガラスホルダーをホルダー挿入部に挿入することができる。
【００１３】
本発明のウインドレギュレータは、上述したいずれかのキャリアプレートを備えているため、ウインドレギュレータをドアパネル等に取り付けた後の窓ガラスの取り付けが容易にできる。
【発明を実施するための最良の形態】
【００１４】
次に本発明のキャリアプレートを図面を用いて説明する。図１〜図５は本発明の範囲外の形態を示す図面である。図６ａ、ｂは、本発明のキャリアプレートの一実施形態を示す正面図、背面図；図７ａ、ｂ、ｃは、図６のキャリアプレートのエンドホルダを示す正面図、背面図、左側面図；図８ａ、ｂ、ｃｄは、図６のキャリアプレートのリテイナーを示す正面図、背面図、左側面図；図９ａ、ｂは、図６のキャリアプレートガラスホルダーの連結状態を示す正面図、背面図；図１０は、本発明のウインドレギュレータの一実施形態を示す概略図である。図１１〜図１２は本発明の範囲外の形態を示す図面である。
【００１５】
図１に示すキャリアプレート１０は、上下から延びるインナーケーブルを係止するエンドホルダ１１と、そのエンドホルダに着脱自在に連結されるリテイナー１２とからなる。
【００１６】
エンドホルダ１１は、図２ａ〜ｃに示すように、矩形状の基板１５と；その基板に設けられた、上から挿入されるケーブルエンド１３ａを係止するケーブル係止部１６と；前記基板１５に斜め上に突出して設けられた、下から挿入されるケーブルエンド１４ａを係止するケーブルホルダ１７と；前記基板に設けられた、下から挿入されるインナーケーブル１４を湾曲させながら斜め上向きにケーブルホルダ１７に導くガイド溝１８と；前記基板の中央に形成された、後述するガラスホルダーを固定するホルダー固定部１９と；前記基板の上端に形成された、ガラスホルダー２２をガイドして支持するホルダー支持部２０と；前記基板の下端に形成された袋状のホルダー挿入部２１とを備えている。
【００１７】
ここで、図３ａに示すように上のケーブルエンド１３ａは、円柱状のものであり、インナーケーブル１３は、ケーブルエンド１３ａの側面中央から半径方向に延びている。つまり、インナーケーブル１３とケーブルエンド１３ａの軸は直交している。
【００１８】
また、図３ｂに示すように下のケーブルエンド１４ａは、柱状のものであり、その先端にフランジ部１４ｂを備えているものであり、インナーケーブル１４は、ケーブルエンド１４ａの底面から軸方向に延びている。つまり、インナーケーブル１４とケーブルエンド１４ａの軸は同心上にある。
さらに、インナーケーブル１３、１４は、複数の金属線を撚り合わせ、その上に合成樹脂コートを設けたものであり、プルコントロールケーブルに用いられるものである。特に、合成樹脂コートの材料として、ナイロン、ポリアセタール（ＰＯＭ）、ポリエチレン（ＰＥ）が用いられる。
【００１９】
さらに、図３ｃ、ｄに示すようにガラスホルダー２２は、キャリアプレートに係止される固定部２３を備えた本体２４と、その本体の上端に形成された上方に開放した断面Ｕ字状の窓ガラス保持部２５とからなり、窓ガラス保持部２５は、本体２４に対して前方（図面の手前方向）および左右に突出したフランジとなっている。また、固定部２３は、貫通孔である。この窓ガラス保持部２５内に窓ガラスを挿入して、ガラスホルダー２２を窓ガラスに取り付ける。
【００２０】
図２に戻って、ケーブル係止部１６は、基板１５の面と平行な横向きの軸を有する円柱状の内部空間１６ａと、その内部空間を囲む外壁１６ｂと、その外壁に形成されたケーブル孔１６ｃとからなる。外壁１６ｂには、インナーケーブル１３の軸を基板１５と垂直にし、上のケーブルエンド１３ａの軸と内部空間１６ａの軸とを合わせて、ケーブルエンド１３ａを軸方向に移動させながら内部空間に挿入することができるケーブルエンド挿入口２６（内部空間１６ｃの開口部）（図２ｃ参照）と；その上のケーブルエンド１３ａを挿入するときインナーケーブル１３を通すための、ケーブルエンド挿入口２６から内部空間の軸と平行に延びる第１ケーブル溝２７（図２ｂ、ｃ参照）と；上のケーブルエンド１３ａをケーブル係止部１６に挿入した状態で、インナーケーブル１３の軸がエンドホルダ１１に対して平行になるように上向きに回転させるときにインナーケーブル１３を通すための、ケーブル孔１６ｃに連続しており、内部空間１６ａの軸と垂直に延びる第２ケーブル溝２８（図２ｂ参照）とが形成されている。
【００２１】
このように構成されているため、ケーブルエンド１３ａをケーブル係止部１６内に係止することにより、インナーケーブル１３をケーブル孔１６ｃ方向（図２ａの上向き）に引っ張ってもケーブルエンド１３ａは、ケーブル係止部１６内で係止される。
【００２２】
ケーブルホルダ１７は、下から挿入されるケーブルエンド１４ａを軸方向に移動自在に収容する断面Ｕ字状のものであり、先端側は開放されており、基端側にスプリング２９の一端を受ける底壁３１と、その底壁から延びる側壁３２とが設けられている。この底壁３１は、連通孔３１ａを介してガイド溝１８と連続している。このケーブルホルダ１７には、ケーブルエンド１４ａと共にスプリング２９が収容され、スプリング２９は、底壁３１とケーブルエンド１４ａのフランジ１４ｂとの間に配置される（図２ｂ参照）。また、ケーブルホルダ１７の外周には、後述するリテイナー１２を固定する嵌合部３０が形成されている。ここで嵌合部３０は、後述するリテイナー１２のクリップ部（図４の符号４３）を受ける係合溝である。
【００２３】
このように構成されているため、ケーブルホルダ１７内では、スプリング２９がインナーケーブル１４の張力を常に一定となるようにケーブルエンド１４ａのフランジ部１４ｂを付勢する。そのため、使用によるインナーケーブル１４の張力低下を防止する。このスプリング２９としては、圧縮コイルスプリングなどが用いられる。
すなわち、ケーブルホルダ１７、スプリング２９、ケーブルエンド１４ａは、インナーケーブルの伸び取り機構を構成している。
【００２４】
このように湾曲したガイド溝１８を備えることにより、上下のインナーケーブルと同心としながら、それぞれケーブル係止部１６およびケーブルホルダ１７に係止される上下ケーブルエンド１３ａ、１４ａの軸が同一線上にならない。そのため、一方向に長いキャリアプレートが形成されず、ケーブルエンドの強度を保った小型のキャリアプレートを得ることができる。
また、インナーケーブル１４がケーブル溝１８の開口している方向に外れないように基板１５のガイド溝の入口近辺に突起３５が設けられている。これにより、インナーケーブルは、突起３５とケーブル溝の底によって支持される。
このようなエンドホルダ１１は、その強度の面から、ポリブチレンテレフタレート（ＰＢＴ）、ポリアセタール（ＰＯＭ）、ポリエチレンテレフタレート（ＰＥＴ）等の合成樹脂、あるいは、金属によって形成される。
【００２５】
ホルダー固定部１９は、ボルトとナット等でガラスホルダーの固定部２３と締結する貫通孔である。
ホルダー支持部２０は、窓ガラスの下端またはガラスホルダーを支持するアーム部３３と、そのアーム部の先端に形成された、窓ガラスを下降させながらキャリアプレートに組み付けるときに窓ガラスの下端またはガラスホルダーをガイドするテーパー状のガイド部３４とからなる。
【００２６】
ホルダー挿入部２１は、基板表面との間に上向きの開口部３６を有する空間を形成するものであり、基板表面から突出した底壁２１ａとその底壁から基板と平行して立ち上がる側壁２１ｂとからなる。そして、ガラスホルダー２２をホルダー支持部２０に配置したときに、ガラスホルダーの本体２４の下端２４ａがこのホルダー挿入部２１内に収容されるように構成されている（図５参照）。
【００２７】
リテイナー１２は、図４ａ〜ｃに示すように、ケーブルホルダ１７の外周に装着する、開口部４１ａを備えた中空のリテイナー本体４１と；そのリテイナー本体の開口部４１ａ外縁から突出して形成された、エンドホルダ１１と係合してリテイナー本体を支持する二本の支持部４２と；前記リテイナー本体４１の開口部４１ａ外縁に形成された前記ケーブルホルダの嵌合部３０とクリップ嵌合するクリップ部４３とからなる。また、このリテイナー１２の底部に、クリップ部４３を射出成形するために設けられた型抜き４４を備えている。
このリテイナー１２をエンドホルダのケーブルホルダ１７に被せることにより、ケーブルホルダ１７の先端および側面の開口を塞ぎ、インナーケーブル１４、ケーブルエンド１４ａおよびスプリング２９の飛び出しを防止する。
【００２８】
また、図１ａ、ｂに示すように、二本の支持部４２は、リテイナー１２をエンドホルダ１１に被せたとき、上のケーブルエンド１３ａから延びるインナーケーブル１３を挟むように構成されている。このように支持部４２でインナーケーブル１３を挟むことにより、インナーケーブル１３の第２ケーブル溝２８方向への動きを拘束し、上のケーブルエンド１３ａがケーブル係止部１６内で回転し、ケーブルエンド１３ａがケーブル係止部１６から外れることを防止する。
【００２９】
このように構成されるキャリアプレート１０は次のようにして組み立てられる。初めに上のケーブルエンド１３ａをケーブルエンド挿入口２６からケーブル係止部１６の内部空間１６ａ内に挿入すると共に、ケーブルエンド１３ａのインナーケーブル１３を第１ケーブル溝２７に通す。そして、上のケーブルが上に回転するようにケーブルエンド１３ａをケーブル係止部１６の内部空間１６ａ内で回転させ、インナーケーブル１３を第２ケーブル溝２８に通し、ケーブルエンド１３ａをケーブル係止部１６に係止する。
一方、下のケーブルエンド１４ａのインナーケーブル１４をガイド溝１８に通し、そして、ケーブルエンド１４ａをスプリング２９と共にケーブルホルダ１７内に収容する。そして、ケーブルエンド１４ａおよびスプリング２９を収容した状態で、リテイナー１２をケーブルホルダ１７の外周に先端側から装着し、軸方向にスライドさせ、支持部４２とエンドホルダ１１を係合させると共に、ケーブルホルダの嵌合部３０とリテイナーのクリップ部４３とを嵌合させる。
【００３０】
このキャリアプレート１０とガラスホルダー２２の連結状態を図５ａ、ｂに示す。このキャリアプレート１０は、ホルダー挿入部２１を備えているため、ガラスホルダー２２をキャリアプレート１０に係止するとき、ガラスホルダーの下端をホルダー挿入部２１に挿入するだけで、ガラスホルダーの固定部２３と、ホルダー固定部１９とを合わせることができる。そのため、ボルトとナットを用いて係止するときに、他に注意を傾ける必要がなく、その連結作業が容易である。
【００３１】
図６に示すキャリアプレート５０は、エンドホルダ５１と、そのエンドホルダに連結されるリテイナー５２とからなり、ガラスホルダーの下端を覆うホルダー挿入部７５が、エンドホルダ５１とリテイナー５２の連結によって形成されるものである。
【００３２】
エンドホルダ５１は、図７ａ〜ｃに示すように、矩形状の基板５５と；その基板に設けられた、下から挿入されるケーブルエンド５３ａを係止するケーブル係止部５６と；前記基板に斜め下向きに突出して設けられた、上から挿入されるケーブルエンド５４ａを係止するケーブルホルダ５７と；前記基板に設けられた、上から挿入されるインナーケーブル５４を湾曲させながらケーブルホルダ５７に導くガイド溝５８と；前記基板の中央に形成された、ガラスホルダー６２を固定するホルダー固定部５９と；前記基板の上端に形成された、ガラスホルダー６２をガイドして支持するホルダー支持部６０とを備えている。
【００３３】
ここで、下のケーブルエンド５３ａは、図３ａのケーブルエンド１３ａと実質的に同じものであり、上のケーブルエンド５４ａは、図３ｂのケーブルエンド１４ａと実質的に同じ、フランジ部５４ｂを備えたものである。ガラスホルダー６２は、図３ｃ、ｄのガラスホルダー２２と実質的に同じ、固定部６３を備えた本体６４と、窓ガラス保持部６５とからなるものである。すなわち、このキャリアプレート５０は、上から挿入されるインナーケーブルの伸び取り機構を備えている。
【００３４】
ケーブル係止部５６は、図２のエンドホルダ１１のケーブル係止部１６と実質的に同じで、内部空間５６ａと、外壁５６ｂと、ケーブル孔５６ｃとからなり、外壁５６ｂが、ケーブルエンド挿入口６６と、第１ケーブル溝６７と、第２ケーブル溝６８とを備えたものである。
ケーブルホルダ５７は、図２のエンドホルダ１１のケーブルホルダ１７と実質的に同じ断面Ｕ字状であり、その外周面に形成された嵌合部７０と、底壁３１と、側壁３２とを備えている。
ホルダー支持部６０は、図２のエンドホルダ１１のホルダー支持部２０と実質的に同じものであり、アーム部７３と、ガイド部７４とからなる。
また、ガイド溝５８、ホルダー固定部５９も、それぞれ図２のエンドホルダ１１のガイド溝１８、ホルダー固定部１９と実質的に同じものである。
【００３５】
リテイナー５２は、図８ａ〜ｃに示すように、本体８１の開口部８１ａの一部から幅方向に広がるように形成された横壁７５ａと、その横壁７５ａの端縁からリテイナーの軸方向に立ち上がる縦壁７５ｂとからなる段部を内面に備えている。この横壁７５ａと縦壁７５ｂとそれらに覆われたエンドホルダの基板５５の表面とからなる部位がホルダー挿入部７５となる。
リテイナー５２の他の構成は、図５のリテイナー１２と実質的に同じものであり、本体８１と、支持部８２と、クリップ部８３と、型抜き８４とからなる。
【００３６】
このキャリアプレート５０とガラスホルダー６２の連結状態を図９ａ、ｂに示す。このキャリアプレート５０のエンドホルダ５１の基板５５と、リテイナー５２の横壁７５ａと、縦壁７５ｂとからなる空間（ガラス挿入部７５）にガラスホルダー６２の下端を挿入することにより、ガラスホルダーの固定部６３と、ホルダー固定部５９とを合わせることができ、その連結作業が容易である。
【００３７】
次に、キャリアプレート１０及び５０を備えたウインドレギュレータ９０を図１０に示す。ウインドレギュレータ９０は、ドアＤのインナーパネルＰに取り付けられるものであり、左上プーリ９１ａ、右上プーリ９１ｂ、右下プーリ９１ｃ、ケーブルスライダ９１ｄの４つのケーブルガイドと、その上下のケーブルガイドを直接繋ぐように８字状に配索されるインナーケーブルＣと、そのインナーケーブルを往復駆動する駆動装置９２とを備えている。ここで、左上のケーブルガイド９１ａと、駆動装置９２とはガイドプレート９４によって連結されている。前の上下のケーブルガイドの間に図１のキャリアプレート１０が備え付けられ、後ろの上下のケーブルガイドの間に図７のキャリアプレート５０が備え付けられている。駆動装置９２から下向きに延びるインナーケーブルはケーブルスライダ９１ｄによって方向転換され、その端部はキャリアプレート１０の伸び吸収機構に連結されている。駆動装置９２から上向きに延びるインナーケーブルはプーリ９１ｂで方向転換され、その端部はキャリアプレート５０の伸び吸収機構に連結されている。そのため、使用によって生じるケーブルの伸びを吸収することができる。このウインドレギュレータ９０は、アウターケーシングは用いていない。ただし、用いてもよい。
【００３８】
このウインドレギュレータ９０の組立方法は、初めに、プーリ９１、駆動装置９２、キャリアプレート１０、５０およびそれらをつなぐインナーケーブル１４からなるウインドレギュレータセットをドアパネルＰに取り付ける。その後、インナーケーブル１４の張力を調整等し、ガラスホルダー２２、６２を下端に取り付けた窓ガラスＷをドアの上部から挿入する。
【００３９】
このとき、図５、９に示すように、窓ガラスＷの下端をキャリアプレート１０、５０の
ホルダー支持部のガイド部３４、７４によってガイドさせながら、窓ガラスを下降させる。そして、さらに、窓ガラスＷを下降させることにより、ガラスホルダー２２、６２をホルダー支持部のアーム部３３、７３上に載置する。これによりガラスホルダー２２、６２の下端は、それぞれキャリアプレート１０、５０のホルダー挿入部２１、７５に挿入される。これにキャリアプレート１０、５０のホルダー固定部１９、５９とガラスホルダーの固定部２３、６３の貫通孔が並ぶ。この貫通孔にボルト、ナット等を取り付け、キャリアプレート１０、５０とガラスホルダー２２、６２の固定を行う。このようにガラスホルダ挿入部を有しているため、固定する前において、ガラスホルダー２２、６２の下端の一部をホルダー挿入部２１、７５内に挿入することができ、固定するまでの間にガラスホルダー２２、６２とキャリアプレート１０、５０の位置がずれにくく、キャリアプレート１０、５０がひっくり返ったりすることがない。
【００４０】
図１１に示すキャリアプレート１００は、矩形状の基板１０１と；その基板に形成された、上下のケーブルエンドを係止するケーブル係止部１０２と；前記基板の上部に左右に形成された貫通孔１０３ａを備えた凹部１０３と；前記基板の中央に左右に延びるように突出して形成されたリブ１０４と；前記凹部の一部を覆うように形成された覆い部１０５と；基板の中央の上下に形成されたガイドレール摺動部１０６と；キャリアプレートが下降することによって下のプーリとの衝突を緩和させるクッションを係止するクッション係止部１０７とから構成されている。
【００４１】
ケーブル係止部１０２は、内部空間１０２ａと、その内部空間を構成する外壁１０２ｂとからなり、外壁１０２ｂが、ケーブルエンドのインナーケーブルの軸が基板１０１に対して直角の状態で、ケーブルエンドを挿入することができる表面に形成されたエンド挿入口１０８と、そのケーブルエンド１０２を挿入した後、インナーケーブルの軸を基板と平行にするときにインナーケーブルが通る上下表面に形成されたケーブル溝１０９とを有する。
【００４２】
ケーブルエンドとしては、図３ａのようなものを使用してもよく、インナーケーブルの断面形状より大きなもので、前記エンド挿入口１０８から挿入できる形状であれば、特に限定されない。
リブ１０４は、基板の裏面に突出して形成されたものである。
【００４３】
この実施形態では、貫通孔１０３ａがホルダー固定部であり、基板１０１の両側の上端１０１ａがホルダー支持部である。
また、凹部１０３と、その一部を覆う覆い部１０５とからなる、開口部１０５ｃを有する空間がホルダー挿入部である。
【００４４】
このキャリアプレート１００と、ガラスホルダー２２との連結状態を図１２に示す。
このキャリアプレート１００も、ガラスホルダーを下降させつつ、ガラスホルダーの下端を開口部１０５ｃからホルダー挿入部に挿入することにより、ガラスホルダーの固定部２３と、貫通孔１０３ａとが並び、その連結作業になる。
【図面の簡単な説明】
【００４５】
【図１】図１ａ、ｂは、本発明の範囲外のキャリアプレートを示す正面図、背面図である。
【図２】図２ａ、ｂ、ｃは、図１のキャリアプレートのエンドホルダを示す正面図、背面図、側面図である。
【図３】図３ａ、ｂは、それぞれ本発明の範囲外のキャリアプレートに用いられるケーブルエンドの側面図であり、図３ｃ、ｄは、本発明の範囲外のキャリアプレートに用いられるガラスホルダーの正面図、背面図である。
【図４】図４ａ、ｂ、ｃは、図１のキャリアプレートのリテイナーを示す正面図、背面図、左側面図である。
【図５】図５ａ、ｂは、図１のキャリアプレートとガラスホルダーの連結状態を示す正面図、背面図である。
【図６】図６ａ、ｂは、本発明のキャリアプレートの一実施形態を示す正面図、背面図である。
【図７】図７ａ、ｂ、ｃは、図６のキャリアプレートのエンドホルダを示す正面図、背面図、左側面図である。
【図８】図８ａ、ｂ、ｃは、図６のキャリアプレートのリテイナーを示す正面図、背面図、左側面図である。
【図９】図９ａ、ｂは、図６のキャリアプレートガラスホルダーの連結状態を示す正面図、背面図である。
【図１０】本発明のウインドレギュレータの一実施形態を示す概略図である。
【図１１】図１１ａ、ｂは、本発明の範囲外のキャリアプレートを示す正面図、背面図である。
【図１２】図１２ａ、ｂは、図１１のキャリアプレートとガラスホルダーの連結状態を示す正面図、背面図である。
【符号の説明】
【００４６】
１０  キャリアプレート
１１  エンドホルダ
１２  リテイナー
１３、１４  インナーケーブル
１３ａ  上のケーブルエンド
１４ａ  下のケーブルエンド
１４ｂ  フランジ部
１５  基板
１６  ケーブル係止部
１６ａ  内部空間
１６ｂ  外壁
１６ｃ  ケーブル孔
１７  ケーブルホルダ
１８  ガイド溝
１９  ホルダー固定部
２０  ホルダー支持部
２１  ホルダー挿入部
２１ａ  底壁
２１ｂ  側壁
２２  ガラスホルダー
２３  固定部
２４  本体
２４ａ  下端
２５  窓ガラス保持部
２６  ケーブルエンド挿入口
２７  第１ケーブル溝
２８  第２ケーブル溝
２９  スプリング
３０  嵌合部
３１  底壁
３１ａ  連通孔
３２  側壁
３３  アーム部
３４  ガイド部
３５  突起
３６  開口部
４１  リテイナー本体
４１ａ  開口部
４２  支持部
４３  クリップ部
４４  型抜き
５０  キャリアプレート
５１  エンドホルダ
５２  リテイナー
５３、５４  インナーケーブル
５３ａ  下のケーブルエンド
５４ａ  上のケーブルエンド
５４ｂ  フランジ部
５５  基板
５６  ケーブル係止部
５６ａ  内部空間
５６ｂ  外壁
５６ｃ  ケーブル孔
５７  ケーブルホルダ
５８  ガイド溝
５９  ホルダー固定部
６０  ホルダー支持部
６２  ガラスホルダー
６３  固定部
６４  本体
６５  窓ガラス保持部
６６  ケーブルエンド挿入口
６７  第１ケーブル溝
６８  第２ケーブル溝
７０  嵌合部
７３  アーム部
７４  ガイド部
７５  ホルダー挿入部
７５ａ  横壁
７５ｂ  縦壁
８１  本体
８１ａ  開口部
８２  支持部
８３  クリップ部
８４  型抜き
９０  ウインドレギュレータ
９１ａ、９１ｂ、９１ｃ  プーリ
９１ｄ  ケーブルスライダ
９２  駆動装置
９４  ガイドプレート
Ｄ  ドア
Ｐ  ドアパネル
Ｗ  窓ガラス
１００  キャリアプレート
１０１  基板
１０１ａ  上端
１０２  ケーブル係止部
１０２ａ  内部空間
１０２ｂ  外壁
１０３  凹部
１０３ａ  貫通孔
１０４  リブ
１０５  覆い部
１０６  ガイドレール摺動部
１０７  クッション係止部
１０８  ケーブルエンド挿入部
【図１】
0005080154.tif 000002
【図２】
0005080154.tif 000003
【図３】
0005080154.tif 000004
【図４】
0005080154.tif 000005
【図５】
0005080154.tif 000006
【図６】
0005080154.tif 000007
【図７】
0005080154.tif 000008
【図８】
0005080154.tif 000009
【図９】
0005080154.tif 000010
【図１０】
0005080154.tif 000011
【図１１】
0005080154.tif 000012
【図１２】
0005080154.tif 000013